(57)【要約】      （修正有）【課題】スロット部を覆う回転ドアを、組立後は容易に外れないようにする。【解決手段】回転ドア２の一方の支軸２３の半径方向外側のアーム２１に部分ピニオン２５を突設し、部分ピニオン２５と、筐体３側に配設したダンパー機構７の外周のピニオン８を噛合して回転ドア２の閉鎖時の回動速度を減速する回転ドアの支持構造において、アーム２１の外側の筐体３上にブラケット３７を突設し、ブラケット３７の頂部に板金製のフレーム６の水平部６ａを固着し、水平部６ａのアーム２１側を垂直下方へ折曲してその途中にダンパー機構７を保持し、垂直部６ｂの下端を水平部６ａと反対方向水平に折曲して水平部６ｃとし、水平部６ｃの先端を上方へ折曲して、折曲部６ｄをアーム２１の背面に配置する。【選択図】図８
2008078254.tif 000002
【特許請求の範囲】
【請求項１】
回動軸の両端の外側または内側に支軸を突設した断面コ字形の回転ドアを、前記支軸部分を内側または外側に押圧変形させながら軸孔に挿入嵌合させる回転ドアの支持構造において、
少なくとも一方の支軸と軸孔の嵌合部分であって、支軸の基端部の背面に、支軸の軸方向の後退を阻止する突起を設けたことを特徴とする回転ドアの支持構造。
【請求項２】
筐体に形成された開口部を回動自在に覆う回転ドアの両端内側に突設され１対のアームの先端外側に突設された支軸を、前記アームを内側に弾性変形させながら、筐体内側に突設された１対のブラケットに形成された軸孔に挿入嵌合する回転ドアの支持構造において、
前記一方の支軸の基端部の背面に、支軸の軸方向の後退を阻止する突起を設けたことを特徴とする回転ドアの支持構造。
【請求項３】
筐体に形成された開口部を回動自在に覆う回転ドアの両端内側に突設され１対のアームの先端外側に突設された支軸を、前記アームを内側に弾性変形させながら、筐体内側に突設された１対のブラケットに形成された軸孔に挿入嵌合するとともに、前記一方の支軸の
半径方向外側のアームにピニオンの一部を突設し、該ピニオンと筐体側に配設したダンパ
―機構のピニオンとを噛合して回転ドアの閉鎖時の回動速度を減速する回転ドアの支持構造において、
前記一方の支軸側のアームの回動軸方向外側の筐体に第３のブラケットを突設し、該第３ブラケットの頂部に板金製のフレームの第１の水平部を固着し、該第１水平部のアーム側を垂直下方へ折曲してその途中に前記ダンパー機構を保持し、該フレームの垂直部の下端を前記第１水平部と反対方向水平に折曲して第２の水平部とし、該第２水平部の先端を上方へ折曲して、該折曲部を前記一方の支軸側のアーム背面に配置したことを特徴とする回転ドアの支持構造。
【請求項４】
請求項３に記載の回転ドアの支持構造において、
前記フレームの第２水平部は、前記一方の支軸側の軸孔が形成されたブラケットの基端部を回避して前記一方の支軸側のアーム先端側へ延設したことを特徴とする回転ドアの支持構造。
【請求項５】
請求項３または４に記載の回転ドアの支持構造において、
前記一方の支軸側のアーム背面に配置された折曲部は、前記一方の支軸の背面に位置していることを特徴とする回転ドアの支持構造。
【請求項６】
請求項１乃至５のいずれかに記載の回転ドアの支持構造をメモリカードのスロット部に備えたことを特徴とする薄型表示装置。
【請求項７】
請求項１乃至５のいずれかに記載の回転ドアの支持構造を有することを特徴とした電子機器。
【発明の詳細な説明】
【技術分野】
【０００１】
本発明は、メモリカードの挿入スロット等を覆う回転ドアの支持構造及びその回転ドアを備えた薄型表示装置並びに電子機器に関する。
【背景技術】
【０００２】
従来、メモリカードを使用する電子機器におけるメモリカードの挿入スロットの構造としては、特許文献１に記載のものがある。これは挿入方向を水平にしたスロット口に、フラップドアと称される蓋が閉じ方向に付勢されて軸支されており、メモリカードを挿入したときに、その蓋がメモリカードの先端に押されて内側に回動して開く。また、メモリカードが抜き取られたときには、蓋がばね力で戻りスロット口を閉じ、スロット口からのゴミ等の異物の侵入を防止することができる。
【特許文献１】実開平７−３６２５２号公報
【発明の開示】
【発明が解決しようとする課題】
【０００３】
ところで、薄型テレビに設けられたメモリカードの挿入スロットを覆う回転ドアの支持構造としては、図３〜図７および図１１のように構成されることがある。図３〜図７に示されるように、メモリカードの挿入スロット４を、薄型テレビの背面側の筐体３の上端角部に配設し、その挿入スロット４への異物進入を防ぐために、挿入スロット４の上方が回転ドア２により覆われている。この回転ドア２は、筐体３の背面側への回動が可能である。
【０００４】
筐体３には、図４に示されるように、挿入スロット４が形成され、その挿入スロット４の長手方向延長上の筐体３の内側に、回転ドア２のアーム２１，２２が挿入される鞘部３１，３２が突設されている。この鞘部３１，３２に、筐体３の外側から回転ドア２のアーム２１，２２が挿入される。また、筐体３の内側の鞘部３１，３２の延長上には、筐体３からブラケット３３，３４が突設されて、そのブラケット３３，３４の先端部に形成された軸孔３５，３６に、アーム２１，２２の先端近くの外側に突設された支軸２３，２４が嵌合される。
【０００５】
この回転ドア２のアーム２１，２２を、ブラケット３３，３４に装着する場合は、支軸２３，２４の部分を互いに内側に押圧して、アーム２１，２２を弾性変形させて、ブラケット３３，３４の軸孔３５，３６に内側から嵌合させていた。また、支軸２３の外側上方には、図７に示されるように、アーム２１と一体に、円弧状に部分ピニオン２５が形成されている。さらに、支軸２３の基端側大径部の外周には、回転ドア２を閉じ方向に付勢するねじりコイルばね２６が嵌着されている。ねじりコイルばね２６の一端はアーム２１側に係止され、他端が筐体３に押圧される。
【０００６】
支軸２３，２４が軸孔３５，３６に嵌合されると、次に、図５および図１１に示されるように、ブラケット３３の側方に突設されたブラケット３７に、Ｌ字形に折曲された金属板からなるフレーム５が取り付けられる。フレーム５は、ブラケット３７の上端に突設された１対の凸部３８に、孔が嵌合されることで上部が位置決めされ、下端が溝３７ａに嵌合されることで下部が位置決めされる。ここで、ブラケット３７の上端のビス孔３９にビスを螺合することで、フレーム５はブラケット３７に固定される。
【０００７】
フレーム５の側面には、流体機構により回転速度を一定値以下に制限するダンパーが設けられ、そのダンパー外周にピニオン５１が嵌着されている。このピニオン５１がアーム２１側の部分ピニオン２５に噛合される。その結果、回転ドア２が手によって開放操作されてから、手が離されると、ねじりコイルばね２６のばね力により、回転ドア２は閉じ方向に回動を開始するが、ピニオン５１により回動速度が一定速度以下に制限されて、急激に閉じられることが防止される。
【０００８】
これらの回転ドア２の組立作業は、筐体３がまだ閉じられていない、開放状態で行われるため容易に行える作業である。しかしながら、筐体３が、いったん組付けられて閉じた後に、調整等のために、メモリカードの挿入スロット４に、作業者が手を挿入して、作業をすることがある。このとき、回転ドア２は、開放されるが、その操作の際に、回転ドア２の長手方向に不当な外力が加えられると、回転ドア２のアーム２１，２２が変形して、支軸２３，２４の一方が、軸孔３５，３６のいずれかから抜け出て、回転ドア２が筐体３から外れてしまうことがあった。
【０００９】
いったん、回転ドア２が筐体３から外れてしまうと、筐体３の外側から、回転ドア２のアーム２１，２２を鞘部３１，３２に挿入しただけでは、アーム２１，２２を内側へ弾性変形させて、支軸２３，２４を軸孔３５，３６の位置に合わせをし、さらに、ピニオン５１に部分ピニオン２５を噛合させることができないため、回転ドア２を装着することは不可能であった。そのため、その場合は、筐体３をいったん取り外して開放し、筐体３の内側から装着しなければならず、そのための作業が、組立調整工程での大きなロスとなっていた。そこで、本発明は、回転ドアを筐体に組み込んだ後には、調整作業等の際に、簡単に外れないようにして、組立工程での作業ロスを低減することを目的とした。
【課題を解決するための手段】
【００１０】
上記課題を解決するために、本発明に係る回転ドアの支持構造は、回動軸の両端の外側または内側に支軸を突設した断面コ字形の回転ドアを、前記支軸部分を内側または外側に押圧変形させながら軸孔に挿入嵌合させる回転ドアの支持構造において、少なくとも一方の支軸と軸孔の嵌合部分であって、支軸の基端部の背面に、支軸の軸方向の後退を阻止する突起を設けたことを特徴とする。
【００１１】
また、本発明に係る回転ドアの支持構造は、筐体に形成された開口部を回動自在に覆う回転ドアの両端内側に突設され１対のアームの先端外側に突設された支軸を、前記アームを内側に弾性変形させながら、筐体内側に突設された１対のブラケットに形成された軸孔に挿入嵌合する回転ドアの支持構造において、前記一方の支軸の基端部の背面に、支軸の軸方向の後退を阻止する突起を設けたことを特徴とする。
【００１２】
また、本発明に係る回転ドアの支持構造は、筐体に形成された開口部を回動自在に覆う回転ドアの両端内側に突設され１対のアームの先端外側に突設された支軸を、前記アームを内側に弾性変形させながら、筐体内側に突設された１対のブラケットに形成された軸孔に挿入嵌合するとともに、前記一方の支軸の半径方向外側のアームにピニオンの一部を突設し、該ピニオンと筐体側に配設したダンパー機構のピニオンとを噛合して回転ドアの閉鎖時の回動速度を減速する回転ドアの支持構造において、前記一方の支軸側のアームの回動軸方向外側の筐体に第３のブラケットを突設し、該第３ブラケットの頂部に板金製のフレームの第１の水平部を固着し、該第１水平部のアーム側を垂直下方へ折曲してその途中に前記ダンパー機構を保持し、該フレームの垂直部の下端を前記第１水平部と反対方向水平に折曲して第２の水平部とし、該第２水平部の先端を上方へ折曲して、該折曲部を前記一方の支軸側のアーム背面に配置したことを特徴とする。
【００１３】
ここで、前記フレームの第２水平部は、前記一方の支軸側の軸孔が形成されたブラケットの基端部を回避して前記一方の支軸側のアーム先端側へ延設することが好ましい。また、前記一方の支軸側のアーム背面に配置された折曲部は、前記一方の支軸の背面に位置していることが好ましい。
【００１４】
なお、前記回転ドアの支持構造は、メモリカードのスロット部に備えた薄型表示装置に適用可能であり、さらには、電子機器にも適用可能である。
【発明の効果】
【００１５】
以上述べたように本発明によれば、回転ドアにおける支軸の基端部の背面に、支軸の軸方向の後退を阻止する突起を設けたことで、回転ドアの支軸部分に、支軸が抜け出る方向に外力が加わった場合、支軸の背面部が突起に当接して支軸が軸孔から抜け出ることが阻止されて、回転ドアが外れることが防止される。
【発明を実施するための最良の形態】
【００１６】
以下、図に基づいて本発明の実施形態を説明する。
図１は本発明を薄型テレビのメモリカードのスロット部を覆う回転ドアに適用した場合の外観図であり、図２は図１の平面図である。図１および図２に示されるように、薄型テレビは、放送信号等を表示するための画像表示部１１、画像表示部１１を表示部以外で覆うように配置された筐体１２、放送信号等のうち音声情報を送出するためのスピーカを内蔵し画面の左右に配置されたスピーカーボックス１３、メモリカード１５を挿入するためのスロット部１４、これら一連の部材を一体的に支持するスタンド１６から主に構成される。
【００１７】
図３は、図２のスロット部１４を斜め上方から見た斜視図である。スロット部１４は、筐体１２の背面側の筐体３の上端の角部に配設され、異物進入を防ぐために、回転ドア２により覆われている。この回転ドア２は、メモリカード１５の挿抜の際、背面側への回動が可能である。図４は図３における筐体３の内側を示す分解斜視図であり、図５は図４の筐体３を拡大して示した斜視図であり、図６は図５の横断面図であり、図７は回転ドア２の単体を示す斜視図である。また、図８〜図９は、回転ドア２の一方の支軸側の組立てた状態を示す斜視図である。
【００１８】
図４および図５に示されるように、筐体３には、挿入スロット４が形成され、その挿入スロット４の長手方向延長上の筐体３の内側に、回転ドア２のアーム２１，２２が挿入される鞘部３１，３２が突設されている。この鞘部３１，３２に、筐体３の外側から回転ドア２のアーム２１，２２が挿入される。また、筐体３の内側の鞘部３１，３２の延長上には、筐体３からブラケット３３，３４が突設されて、そのブラケット３３，３４の先端部に形成された軸孔３５，３６に、アーム２１，２２の先端近くの外側に突設された支軸２３，２４が嵌合される。
【００１９】
この回転ドア２のアーム２１，２２を、ブラケット３３，３４に装着する場合は、支軸２３，２４の部分を互いに内側に押圧して、アーム２１，２２を弾性変形させて、ブラケット３３，３４の軸孔３５，３６に内側から嵌合させる。また、支軸２３の外側上方には、図７に示されるように、アーム２１と一体に、円弧状に部分ピニオン２５が形成されている。さらに、支軸２３の外側には、回転ドア２を閉じ方向に付勢するねじりコイルばね２６が嵌着されている。ねじりコイルばね２６の一端はアーム２１側に係止され、他端が筐体３に押圧される。
【００２０】
支軸２３，２４が軸孔３５，３６に嵌合されると、次に、図８〜図１０に示されるように、ブラケット３３の側方に突設されたブラケット３７の先端に、金属板からなるフレーム６の水平部６ａがビス止め（図示せず）により取り付けられる。水平部６ａの右端が下方へ垂直に折曲されて、その垂直部６ｂの側面に、流体機構により回転速度を一定値以下に制限するダンパー７が設けられ、そのダンパー７の側面にピニオン８が嵌着されている。このピニオン８がアーム２１側の部分ピニオン２５に噛合される。その結果、回転ドア２が手によって開放操作されてから、手が離されると、ねじりコイルばね２６のばね力により、回転ドア２は閉じ方向に回動を開始するが、部分ピニオン２５がピニオン８に制動されて、回動速度が一定速度以下に制限され、急激に閉じられることが防止される。
【００２１】
垂直部６ｂの下端は、ブラケット３３，３７が突設されている筐体３の面上で、右側に水平に折曲されるとともに、その水平部６ｃはブラケット３３の基端部を回避するために、図８に示されるように、手前側に延設されている。水平部６ｃの右端は、アーム２１の右側面の外側の位置で上方に折曲されて、垂直部６ｄが形成されている。垂直部６ｄの右端部は、図１０に示されるように、上方へ突出して、その中心部のマーク６ｅの部分が、アーム２１の左側面に突出されている支軸２３の背面に位置している。
【００２２】
このようにアーム２１の支軸２３の背面となる位置に、フレーム６の垂直部６ｄを近接して配設したことで、回転ドア２を装着した後、調整等のために回転ドア２が開閉操作され、アーム２１に支軸２３が抜ける方向に外力が加わっても、支軸２３の背面に垂直部６ｄがあるため、支軸２３は、アーム２１の背面が垂直部６ｄに当接するまでの距離しか軸方向に移動できず、軸孔３５から抜け出ることが阻止される。
【００２３】
なお、フレーム６の組立順番は、アーム２１の支軸２３が、ブラケット３３の軸孔３５に嵌合された後、アーム２１側の部分ピニオン２５に、フレーム６側のピニオン８を噛合させた後、フレーム６をブラケット３７にビス止めする。また、図示例は、回転ドア２のアーム２１，２２の先端外側に、支軸２３，２４を突設していたが、内側へ突設した場合も同様に構成することが可能である。また、本発明は、薄型テレビ等の薄型表示装置以外にも、回転ドアを備えた電子機器に適用可能である。
【産業上の利用可能性】
【００２４】
本発明は、メモリカードのスロット部を備えた薄型表示装置以外に、他の電子機器にも利用可能である。
【図面の簡単な説明】
【００２５】
【図１】本発明を薄型表示装置に適用した場合の外観図である。
【図２】図１の平面図である。
【図３】図２のスロット部を斜め上方から見た斜視図である。
【図４】図３における筐体の内側を示す分解斜視図である。
【図５】図４の筐体を拡大して示した斜視図である。
【図６】図５の横断面図である。
【図７】回転ドアの単体を示す斜視図である。
【図８】回転ドアの一方の支軸側の組立てた状態を示す斜視図である。
【図９】回転ドアの一方の支軸側の組立てた状態を示す斜視図である。
【図１０】回転ドアの一方の支軸側の組立てた状態を示す斜視図である。
【図１１】従来例を示す斜視図である。
【符号の説明】
【００２６】
２  回転ドア
３  筐体
４  挿入スロット
６  フレーム
６ａ  水平部
６ｂ  垂直部
６ｃ  水平部
６ｄ  垂直部
６ｅ  マーク
７  ダンパー
８  ピニオン
１１  画像表示部
１２  筐体
１３  スピーカーボックス
１４  スロット部
１５  メモリカード
１６  スタンド
２１，２２  アーム
２３，２４  支軸
２５  部分ピニオン
２６  ねじりコイルばね
３１，３２  鞘部
３３，３４  ブラケット
３５，３６  軸孔
３７  ブラケット 
【図１】
2008078254.tif 000003
【図２】
2008078254.tif 000004
【図３】
2008078254.tif 000005
【図４】
2008078254.tif 000006
【図５】
2008078254.tif 000007
【図６】
2008078254.tif 000008
【図７】
2008078254.tif 000009
【図８】
2008078254.tif 000010
【図９】
2008078254.tif 000011
【図１０】
2008078254.tif 000012
【図１１】
2008078254.tif 000013